(57)【特許請求の範囲】
【請求項１】
運用系のエコーキャンセル手段と、
待機系のエコーキャンセル手段と、
前記運用系及び待機系のエコーキャンセル手段の出力を選択する出力選択手段と、
を備え、
前記運用系のエコーキャンセル手段と前記待機系のエコーキャンセル手段には共通の入力信号が入力され、前記運用系のエコーキャンセル手段の処理と前記待機系のエコーキャンセル手段の処理に差が生じない二重化冗長構成とされ、
二重化冗長構成の切替え時と、二重化冗長構成への組み込み時に、前記運用系のエコーキャンセル手段の状態を引用し、新たに運用系として組み込まれるエコーキャンセル手段へ設定する制御を行う装置制御手段を備え、
前記装置制御手段は、モデム通信において、二重化冗長構成に新たに組み込むエコーキャンセル手段に対してインバンド信号を出力し、前記エコーキャンセル手段を休止させることで、前記エコーキャンセル手段を運用系のエコーキャンセル手段と同じ状態に保つように制御する、ことを特徴とするエコーキャンセラ装置。
【請求項２】
前記運用系のエコーキャンセル手段と前記待機系のエコーキャンセル手段には同期した音声信号が共通に入力される、ことを特徴とする請求項１記載のエコーキャンセラ装置。
【請求項３】
前記待機系のエコーキャンセル手段は、前記運用系のエコーキャンセル手段と同一の処理を行い、系切替時には、エコー経路の学習が完了している、ことを特徴とする請求項１記載のエコーキャンセラ装置。
【請求項４】
前記運用系及び待機系のエコーキャンセル手段の切替え時、前記出力選択手段から加入者端末までの経路は切替前と変化はなく、新しく運用系として組み込まれるエコーキャンセル手段において、新たに加入者端末との間の音声情報の伝達遅延時間やエコーレベルの学習を要しなくしている、ことを特徴とする請求項１記載のエコーキャンセラ装置。
【請求項５】
モデム通信における通信開始時に実行するトーンディセーブル機能の有効化が、通信途中に新たに組み込んだエコーキャンセル手段に反映され、組み込み後の前記運用系と前記待機系のエコーキャンセル手段の切替え発生時にも、モデム通信が継続される、ことを特徴とする請求項１記載のエコーキャンセラ装置。
【請求項６】
二重化冗長構成のエコーキャンセラ装置の切替制御方法であって、
運用系のエコーキャンセル手段と待機系のエコーキャンセル手段には入力信号が共通に入力され、
前記運用系のエコーキャンセル手段の処理と前記待機系のエコーキャンセル手段の処理に差が生じない二重化冗長構成とされ、
二重化冗長構成の切替え時と、二重化冗長構成への組み込み時に、運用系のエコーキャンセル手段の状態を引用して新たに運用系として組み込まれるエコーキャンセル手段へ設定する制御を行い、
モデム通信において、二重化冗長構成に新たに組み込むエコーキャンセル手段に対してインバンド信号を出力し、前記エコーキャンセル手段を休止させることで、前記エコーキャンセル手段を運用系のエコーキャンセル手段と同じ状態に保つように制御する、ことを特徴とする冗長構成のエコーキャンセラ装置の切替制御方法。
【請求項７】
前記運用系のエコーキャンセル手段と前記待機系のエコーキャンセル手段には同期した音声信号が共通に入力される、ことを特徴とする請求項６記載の冗長構成のエコーキャンセラ装置の切替制御方法。
【請求項８】
前記待機系のエコーキャンセル手段は、前記運用系のエコーキャンセル手段と同一の処理を行い、系切替時には学習が完了しており、音声品質の劣化がなく系の切替えを可能としてなる、ことを特徴とする請求項６記載の冗長構成のエコーキャンセラ装置の切替制御方法。
【請求項９】
前記運用系及び待機系のエコーキャンセル手段の切替え時に、加入者端末までの経路は切替前と変化はなく、
新しく運用系として組み込まれるエコーキャンセル手段において、新たに加入者端末との間の音声情報の伝達遅延時間やエコーレベルの学習を要しなくしている、ことを特徴とする請求項６記載の冗長構成のエコーキャンセラ装置の切替制御方法。
【請求項１０】
モデム通信における通信開始時に実行するトーンディセーブル機能の有効化が通信途中に新たに組み込んだエコーキャンセル手段に反映され、組み込み後の前記運用系と前記待機系のエコーキャンセル手段の切替え発生時にモデム通信が継続される、ことを特徴とする請求項６記載の冗長構成のエコーキャンセラ装置の切替制御方法。
【発明の詳細な説明】
【技術分野】
【０００１】
本発明は、エコーキャンセラ装置に関し、特に冗長構成のエコーキャンセラ装置とその切替制御方法に関する。
【背景技術】
【０００２】
交換機や伝送路と接続する回線インタフェースは、１＋１重化冗長で構成されているが、エコーキャンセル機能は、冗長構成とされていない。
【０００３】
すなわち、従来のエコーキャンセラ装置は、
・一重化構成とされるか、
・ネットワーク構成上で冗長構成されエコーキャンセラ装置同士は互いに独立しているか、あるいは、
・複数の運用系に対して一つの待機系というＮ＋１重化の冗長構成、
となっている。
【０００４】
エコーキャンセラ装置には、エコーキャンセル機能を搭載した半導体デバイスが使用される。近時の半導体集積回路（ＬＳＩ）デバイスの高集積化の進展により、さらに、カード上に複数の半導体デバイスを搭載するなどカードレベルでの対応チャネル数が拡大している。
【０００５】
かかるカードレベルでの対応チャネル数の拡大に対して、従来のカードレベルでの冗長構成としては、Ｎ＋１重化冗長構成が用いられている。
【０００６】
図２は、従来のＮ＋１重化の冗長構成のエコーキャンセラ装置の典型的な構成を示す図である。図２において、エコーキャンセル手段２１、２２、２３は、２＋１重化に冗長構成されているものとする。なお、図２において、参照符号２４は、運用中のエコーキャンセル機能を選択し音声情報を入力する入力選択機能であり、参照符号２５は、運用中のエコーキャンセル機能を選択し音声情報を出力する出力選択機能である。運用中のエコーキャンセル手段２１、２２には、それぞれ音声情報が入力され、エコーキャンセル機能が動作しているが、待機中のエコーキャンセル手段２３には、音声情報は入力されていない。
【０００７】
図２において、運用中のエコーキャンセル手段２１を、待機中のエコーキャンセル手段２３に切替える場合、エコーキャンセル手段２１に入力されていた音声情報は、エコーキャンセル手段２３に入力されるが、エコーキャンセル手段２３は入力された音声情報に対して、エコーキャンセルのための学習を実行する必要があり、この学習中は、エコーが十分にキャンセルされない等、音声品質の劣化が発生することになる。
【０００８】
図３は、学習に要する時間と、エコーキャンセル効果の関係を簡易的に示した一例である。接続されている加入者端末との間の伝送遅延時間やエコーレベルを学習して、エコー成分をキャンセルする効果（エコーキャンセル効果）を得るには、所定の学習時間が必要とされる。
【０００９】
複数（Ｎ個）の運用系に対して一つの待機系という、Ｎ＋１冗長構成の従来のエコーキャンセラ装置は、故障が生じた場合や保守により、エコーキャンセラ装置の運用系と待機系を切替えた場合に次のような問題が生じる。すなわち、複数の運用系に対して、一つの待機系しかなく、待機系には音声情報が入力されていないか、入力されていたとしても切替えが発生する運用系と同じ音声情報が入力されているとは限らない。待機系は、切替えが完了して初めてエコーキャンセル処理を開始する。このため、運用系と待機系の切替え時には、エコーキャンセル処理が一旦停止することになり、音声品質が劣化するという問題が発生する。エコーキャンセル機能においては、エコー成分を除去するために、接続されている通話路の状況に応じて遅延時間やエコーレベルを学習する必要がある。
【００１０】
従来のエコーキャンセラ装置においては、系の切替え毎に学習を行う必要があり、音声品質劣化が、元の状態に復旧するまでに時間を要し、通話への影響が大きい。
【００１１】
そして、半導体デバイスの高集積化により、一つの系の構成単位で処理する音声チャネル数が増大しており、運用系と待機系の切替え時に発生する音声品質劣化の波及範囲が拡大することになる。
【００１２】
さらに、モデム通信時には、トーンディセーブル機能を有効にするために、インバンドでモデムが送信する特定トーン信号を受信して、エコーキャンセル機能を停止させるが、モデムの特定トーン信号の送信は、通信開始時のみであり、通信開始後に、冗長構成に組み込まれたエコーキャンセル機能は、モデムからの特定トーン信号を受信できない。
【００１３】
この結果、エコーキャンセル機能を停止させることができないことになり、切替え時に、モデム通信が途絶えてしまうことになる。
【００１４】
なお、複数のエコーキャンセラとこれを選択する選択部とを備えた構成として、例えば特許文献１には、複数の単位エコーキャンセラと、残差エコー信号のパワーが最も小さいと判定された単位エコーキャンセラの送話出力信号として選択する送話出力選択部と、を備えたエコーキャンセラが開示されている。また特許文献２には、第一、第二のエコーキャンセラと、二つのエコーキャンセラを選択して切り替える切替部と、切替部の切替を制御する制御部を備え、対向側において電話機がオンフックの際に第一のエコーキャンセラを選択し、対向側において電話機がオフフックの際に第二のエコーキャンセラを選択するようにした構成が記載されている。そして、特許文献３には、エコーキャンセラ選択手段により２台のエコーキャンセラの送信出力信号レベルを比較し常に良くエコー経路を同定しているエコーキャンセラを選択し、エコー消去量の良いエコーキャンセラが送信出力信号を出力し、エコー消去量の悪い方のエコーキャンセラが反響路の特性を同定しているとみなす構成が開示されている。しかしながら、これらの構成は、以下に説明される本発明の二重化構成とは相違している。
【００１５】
【特許文献１】特開２００２−１６６９１号公報
【特許文献２】特開２００２−３５３８６３号公報
【特許文献３】特開平１−３１８３２５号公報
【発明の開示】
【発明が解決しようとする課題】
【００１６】
上記したように、従来のエコーキャンセラ装置は、以下に記載するような各種課題を有している。
【００１７】
第１の課題は、エコーキャンセル機能が冗長構成であっても、Ｎ＋１重化の構成であり、このため、動作中のエコーキャンセル機能を継続したまま切替えることができない、ということである。
【００１８】
第２の課題は、エコーキャンセル機能が冗長構成であっても、Ｎ＋１重化の構成であり、このため、エコーキャンセル機能を切替えた場合に、エコー経路の学習を再度実施する必要があり、学習中の音声品質が一時的に劣化する、ということである。
【００１９】
第３の課題は、エコーキャンセル機能の集積度が向上し対応するチャネル数が多くなるほど、切替え時に発生する音声品質の劣化が多数のチャネルに影響する、ということである。
【００２０】
第４の課題は、モデム通信における通信開始時のみ実行するトーンディセーブル機能有効化が通信途中に新たに組み込んだエコーキャンセル機能に反映されず、組み込み後の運用系と待機系の切替えが発生した場合に、モデム通信が途絶えてしまう、ということである。
【００２１】
したがって、本発明は、上記課題を解決するために、創案されたものであって、その目的は、エコーキャンセル機能の動作を継続したままエコーキャンセル機能を切り替えることができ、切替え時の音声品質が劣化を回避するエコーキャンセラ装置及びその制御方法を提供することにある。本発明のさらに別の目的は、モデム通信途中のエコーキャンセル機能の冗長構成への組み込み後の運用系切替えでも、トーンディセーブル機能有効化を継続可能とするエコーキャンセラ装置及びその制御方法を提供することにある。
【課題を解決するための手段】
【００２２】
本願で開示される発明は、前記課題を解消するため、概略以下の構成とされる。
【００２３】
本発明のエコーキャンセラ装置は、運用系のエコーキャンセル手段と、待機系のエコーキャンセル手段と、前記運用系及び待機系のエコーキャンセル手段の出力を選択する出力選択手段と、を備え、前記運用系のエコーキャンセル手段と前記待機系のエコーキャンセル手段には音声信号が共通に入力され、前記運用系のエコーキャンセル手段の処理と前記待機系のエコーキャンセル手段の処理に差が生じない二重化冗長構成とされ、二重化冗長構成の切替え時と、二重化冗長構成への組み込み時に、運用系のエコーキャンセル手段の状態を引用し、新たに運用系として組み込まれるエコーキャンセル手段へ設定する制御を行う装置制御手段を備えている。
【００２４】
本発明においては、前記待機系のエコーキャンセル手段は、前記運用系のエコーキャンセル手段と同一の処理を行い、系切替時には学習が完了しており、音声品質の劣化がなく系の切替えを可能としている。
【００２５】
本発明においては、前記出力選択手段における、前記運用系及び待機系のエコーキャンセル手段の選択の切替え時、前記出力選択手段から加入者端末までの経路は切替前と変化はなく、新しく運用系として組み込まれるエコーキャンセル手段において、新たに加入者端末との間の音声情報の伝達遅延時間やエコーレベルの学習を要しなくしている。
【００２６】
本発明においては、モデム通信における通信開始時に実行するトーンディセーブル機能の有効化が、通信途中に新たに組み込んだエコーキャンセル手段に反映され、組み込み後の前記運用系と前記待機系のエコーキャンセル手段の切替え発生時に、モデム通信が継続される。
【００２７】
本発明においては、前記装置制御手段は、モデム通信において、二重化冗長構成に新たに組み込むエコーキャンセル手段に対してインバンド信号を出力し、前記エコーキャンセル手段を休止させることで、前記エコーキャンセル手段を運用系のエコーキャンセル手段と同じ状態に保つように制御する。
【００２８】
本発明に係る方法は、二重化冗長構成のエコーキャンセラ装置の切替制御方法であって、運用系のエコーキャンセル手段と待機系のエコーキャンセル手段には音声信号が共通に入力され、
前記運用系のエコーキャンセル手段の処理と前記待機系のエコーキャンセル手段の処理に差が生じない二重化冗長構成とされ、
二重化冗長構成の切替え時と、二重化冗長構成への組み込み時に、運用系のエコーキャンセル手段の状態を引用して新たに運用系として組み込まれるエコーキャンセル手段へ設定する制御を行う。
【００２９】
本発明に係る方法において、前記待機系のエコーキャンセル手段は、前記運用系のエコーキャンセル手段と同一の処理を行い、系切替時には学習が完了しており、音声品質の劣化がなく系の切替えを可能としている。
【００３０】
本発明に係る方法において、前記運用系及び待機系のエコーキャンセル手段の切替え時に、加入者端末までの経路は切替前と変化はなく、新しく運用系として組み込まれるエコーキャンセル手段において、新たに加入者端末との間の音声情報の伝達遅延時間やエコーレベルの学習を要しなくしている。
【００３１】
本発明に係る方法において、モデム通信における通信開始時に実行するトーンディセーブル機能の有効化が通信途中に新たに組み込んだエコーキャンセル手段に反映され、組み込み後の前記運用系と前記待機系のエコーキャンセル手段の切替え発生時にモデム通信が継続される構成としてもよい。
【発明の効果】
【００３２】
以上説明したように、本発明においては、以下に記載するような効果がある。
【００３３】
本発明によれば、エコーキャンセル機能が二重化で冗長されているためエコーキャンセル機能の動作を停止させることなく、待機中のエコーキャンセル機能に切替えることができる。
【００３４】
本発明によれば、エコーキャンセル手段の切替え時に、既に待機中のエコーキャンセル手段は運用中のエコーキャンセル手段と同一の処理を行っているため、学習も完了しており、瞬時に、音声品質を劣化させることなく、系を切替えることができる。
【００３５】
本発明によれば、デバイスの高集積度化に伴い、エコーキャンセル手段における切替え単位当たりのチャネル数が増加しても、系切替えにおける音声品質の劣化がないため切替え時にどのチャネルも影響を受けることがない。
【００３６】
本発明によれば、モデム通信における通信開始時のみ実行するトーンディセーブル機能有効化が、通信途中に新たに組み込んだエコーキャンセル手段に反映されて、組み込み後の運用系と待機系のエコーキャンセル手段の切替えが発生しても、モデム通信を継続することができる。
【発明を実施するための最良の形態】
【００３７】
上記した本発明についてさらに詳細に説述すべく添付図面を参照して以下に説明する。本発明に係るエコーキャンセラ装置は、エコーキャンセル機能を二重化冗長構成とし、二つのエコーキャンセル手段に、同期した音声情報を共通に入力することで、エコーキャンセル機能を停止することなく、エコーキャンセル機能を切替可能とし、音声通話だけではなく、ファクシミリ（ＦＡＸ）通信やモデム通信にも対応して、冗長構成を提供するものである。
【００３８】
本発明において、エコーキャンセル手段（１）とエコーキャンセル手段（２）は二重化冗長を構成し、運用系と待機系として動作する。運用系と待機系のエコーキャンセル手段（１、２）には、常に、同じ音声情報が共通に入力され、双方で、同じエコーキャンセル処理が実行されており、出力選択部（７、８）は、運用系のエコーキャンセル手段の処理結果だけを選択して出力する。
【００３９】
本発明において、冗長構成は、装置制御手段（１２）で制御する。より詳しくは、装置制御手段（１２）は、運用系の切替えや、新たに冗長構成に組み込むエコーキャンセル手段に対して、運用中のエコーキャンセル手段の状態を引用して設定する。
【００４０】
かかる構成としたことで、
・装置故障による、エコーキャンセル手段の切替え、
・保守によるエコーキャンセル手段の切替え、
・待機系のエコーキャンセル手段の交換と組み込みが発生、
のいずれの場合でも、運用系のエコーキャンセル手段と同等に動作している待機系のエコーキャンセル手段に切替えることができる。
【００４１】
この結果、本発明によれば、エコーキャンセル機能が途切れることが無く、通話を継続することができる。
【００４２】
また、本発明においては、音声通話だけではなく、ＦＡＸ通信やモデム通信においても、エコーキャンセル動作を継続することができる。以下実施例に即して説明する。
【実施例】
【００４３】
図１は、本発明の一実施例の構成を示す図である。図１において、エコーキャンセラ装置３は、交換機を含むネットワーク４と、ハイブリッド回路１０を有する交換機９との間に設置され、ハイブリッド回路１０により発生したエコー成分１１を消去する。エコーキャンセラ装置３は、外部インタフェースとして、回線機能５、６を備え、回線機能５、６の間に、エコーキャンセル手段１、２を備え、出力選択部７、８、装置制御手段１２を備えている。
【００４４】
エコーキャンセル手段１、２は、多重された複数チャネルのエコーキャンセル機能を持ち、二重化冗長で構成される。
【００４５】
エコーキャンセル手段１、２の出力は、出力選択部７、８で選択出力される。出力選択部７は、加入者端末１３からネットワーク４側への信号、出力選択部８は、ネットワーク４側から加入者端末１３への信号として、運用系のエコーキャンセル手段の出力を選択する。
【００４６】
交換機９は、加入者を収容する交換機であり、ハイブリッド回路１０を介して加入者端末１３を収容する。
【００４７】
装置制御手段１２は、エコーキャンセル手段１、２の切替えを制御する。装置制御手段１２は、エコーキャンセラ装置３内の各構成要素と接続される。
【００４８】
本発明の一実施例の動作について説明する。
【００４９】
ネットワーク４から、エコーキャンセラ装置３に対して、複数チャネルの音声データが時分割多重された状態で、装置間インタフェースの回線を介して入力される。
【００５０】
回線機能５は、音声情報を取り出す。音声情報は、エコーキャンセル手段１、２に同じタイミングで入力される。
【００５１】
出力選択部８は、エコーキャンセル手段１、２のうち、運用系のエコーキャンセル手段を識別し、運用系のエコーキャンセル手段から出力されたデータを選択して回線機能６に出力する。出力選択部８は、装置制御手段１２からの情報により、エコーキャンセル手段１、２のうち運用系がいずれであるかを認識する。
【００５２】
回線機能６は、加入者端末１３を収容する交換機９に、音声情報を出力する。
【００５３】
加入者端末１３を収容する交換機９には、交換機側の４線データと加入者端末１３側の２線データを変換するハイブリッド回路１０が設置されている。このハイブリッド回路１０により、エコー成分１１が発生する。
【００５４】
エコー成分１１は、加入者側端末１３からの音声情報と共に、交換機９を経由して、エコーキャンセラ装置３の回線機能６に入力する。
【００５５】
回線機能６に入力したエコー成分１１を含む音声情報は、エコーキャンセル手段１、２に同じタイミングで入力され、エコーキャンセル手段１、２それぞれにおいて、エコー成分１１のみが消去される。この結果、回線機能６に入力される音声情報は、加入者端末１３からの音声情報のみとなり、出力選択部７に出力される。
【００５６】
出力選択部７では、運用系のエコーキャンセル手段からの音声情報を選択し、回線機能５を介してネットワーク４へと出力される。出力選択部７は、装置制御手段１２からの情報により、エコーキャンセル手段１、２のうち運用系がいずれであるかを認識する。
【００５７】
このようにして、ネットワーク４側と加入者端末１３側の通話において、加入者端末１３側に混入するエコー成分１１を、エコーキャンセラ装置３で消去し、エコーを抑制した音声通話が実現できる。
【００５８】
エコーキャンセル手段１、２では新たな通話が確立したときに、加入者端末１３との間の音声情報の伝達遅延時間やエコー成分の大きさなど学習することで、エコー成分１１を適切に消去する。
【００５９】
この学習は、通話の経路が変わる毎に行われ、学習中は、エコー成分１１の消去が不十分な状態となる。
【００６０】
そこで、本実施例では、新たに運用系となるエコーキャンセル手段は系切替時に学習が完了している構成としている。すなわち、本実施例においては、エコーキャンセラ装置３において、エコーキャンセル手段１、２が二重化冗長で構成されており、エコーキャンセル手段１、２の保守や故障などにより、運用系と待機系の切替えが発生した場合でも、エコーキャンセル手段１、２は、常に同じ動作により、エコーが消去されているため、出力選択部７、８で、運用系のエコーキャンセル手段の選択が変更されても、音声情報やエコー消去に影響なく、瞬時に、切替えが完了する。
【００６１】
本実施例においては、エコーキャンセル手段１、２の切替えでは、出力選択部７、８における選択が変化するだけであり、加入者端末１３までの経路の変化はなく、新しく運用系に切り替えられたエコーキャンセル手段において、新たに加入者端末との間の音声情報の伝達遅延時間や、エコー成分の大きさなど学習することがない。
【００６２】
この結果、エコー成分の消去が不十分になることなく、系の切替えを行うことができるため、音声品質劣化のないエコーキャンセラ装置を実現することができる。
【００６３】
上記したように、装置制御手段１２は、エコーキャンセル手段１、２の切替えを制御する。本実施例においては、冗長構成されたエコーキャンセル手段の系の切替えの場合や、運用系のエコーキャンセル手段のみの一重化の状態から新たに待機系のエコーキャンセル手段を組み込む場合に、この装置制御手段１２は、運用系のエコーキャンセル手段の状態を引用し新たに組み込むエコーキャンセル手段に同じ状態を設定する。この設定により運用系と待機系の状態を等しく保つことができる。
【００６４】
特に、モデム通信においては、エコーキャンセル手段はモデムからのインバンド信号（特定のトーン信号）により休止状態になるため、装置制御手段１２は、新たに組み込むエコーキャンセル手段を同じ状態にするために、インバンド信号（特定のトーン信号）を、新たに組み込むエコーキャンセル手段に出力して当該エコーキャンセル手段を休止させることで、当該エコーキャンセル手段を運用系のエコーキャンセル手段と同じ状態に保つことができる。
【００６５】
本実施例の作用効果について以下に説明する。
【００６６】
本実施例においては、エコーキャンセル手段が二重化で冗長されているためエコーキャンセル手段の動作を停止させることなく、待機中のエコーキャンセル手段に切替えることができる。
【００６７】
本実施例においては、エコーキャンセル手段の切替え時に、既に待機中のエコーキャンセル手段は、運用中のエコーキャンセル手段と同一の処理を行っているため、学習も完了しており、瞬時に音声品質の劣化がなく切替えることができる。
【００６８】
本実施例においては、エコーキャンセル手段が高集積度化して切替える単位当たりのチャネル数が増加しても、切替えにおける音声品質の劣化がないため、切替え時にどのチャネルも影響を受けることがない。
【００６９】
本実施例においては、モデム通信における通信開始時のみ実行するトーンディセーブル機能有効化が通信途中に新たに組み込んだエコーキャンセル手段に反映され、組み込み後の運用系と待機系の切替えが発生しても、モデム通信を継続することができる。
【００７０】
なお、本発明は上記の実施例に限定されるものではなく、例えば同じ二重化冗長で構成される交換機内部にエコーキャンセル手段を内臓することができる。
【００７１】
本発明は、エコーキャンセルが必要となる音声情報を取り扱う固定電話網、ＩＰ電話網、移動体通信網等に適用可能である。
【００７２】
以上、本発明を上記実施例に即して説明したが、本発明は上記実施例の構成にのみ制限されるものでなく、本発明の範囲内で当業者であればなし得るであろう各種変形、修正を含むことは勿論である。
【図面の簡単な説明】
【００７３】
【図１】本発明の一実施例の構成を示す図である。
【図２】従来のエコーキャンセラ装置を示す図である。
【図３】エコーキャンセル効果を説明する図である。
【符号の説明】
【００７４】
１、２  エコーキャンセル手段
３  エコーキャンセラ装置
４  ネットワーク
５、６  回線機能
７、８  出力選択部
９  交換機
１０  ハイブリッド回路
１１  エコー成分
１２  装置制御手段
１３  加入者端末
２１、２２、２３  エコーキャンセル手段
２４  入力選択部
２５  出力選択部
【図１】
0004757669.tif 000002
【図２】
0004757669.tif 000003
【図３】
0004757669.tif 000004